(57)【要約】冷却部材に熱的に結合されると共に、半導体材料から構成された少なくとも１つのレーザ活性増幅器構造が、少なくとも１つの表面内に配置されて、この表面の少なくとも一部の領域にわたって延在しているレーザ活性容積領域を有するソリッドステートボディと、レーザ活性容積領域の光ポンピングのためのポンピング放射場を発生するポンピング放射源と、レーザ活性容積領域を通過するレーザ増幅器放射場を規定する増幅器の光学手段と、を備えるレーザ増幅システムを可能な限り効率的に作動させるために、レーザ活性増幅器構造内におけるポンピング放射場からのポンピング放射の吸収が、増幅器構造に隣接する包囲構造によるポンピング放射の吸収と同じであるか或いはこれを上回ることと、ポンピング放射場が増幅器構造を複数回通過するように進行するようにすることを提案している。
2005527981.tif 000002
【特許請求の範囲】
【請求項１】
冷却部材（１６）に熱的に結合され、レーザ活性容積領域（２４）を有するソリッドステートボディ（１０）と、前記容積領域内において少なくとも１つの表面（２６）内に配置され、半導体材料から構成され、少なくとも前記表面の一部の領域にわたって延在する少なくとも１つのレーザ活性増幅器構造（３０）と、前記レーザ活性容積領域（２４）を光ポンピングするためのポンピング放射場（７０）を生成するポンピング放射源（７２）と、
前記レーザ活性容積領域（２４）を通過するレーザ増幅器放射場（２０）を規定する増幅器光学手段（６０）と、を含むレーザ増幅システムであって、
前記レーザ活性増幅器構造（３０）内における前記ポンピング放射場（７０）からのポンピング放射の吸収が、前記増幅器構造（３０）に隣接する包囲構造（３４）によるポンピング放射の吸収と同じであるか或いはこれを上回っており、前記ポンピング放射場（７０）は、前記増幅器構造（３０）を複数回通過するように進行することを特徴とするレーザ増幅システム。
【請求項２】
前記少なくとも１つの増幅器構造（３０）内における前記ポンピング放射の吸収は、前記増幅器構造（３０）に隣接する前記包囲構造（３４）内における前記ポンピング放射の吸収を上回っていることを特徴とする請求項１に記載のレーザ増幅システム。
【請求項３】
前記包囲構造（３４）内における前記ポンピング放射の吸収は、前記増幅器構造（３０）内における前記ポンピング放射の吸収と比較して、無視可能であることを特徴とする請求項１又は２に記載のレーザ増幅システム。
【請求項４】
前記少なくとも１つの増幅器構造（３０）内における前記ポンピング放射の吸収は、前記増幅器構造（３０）外の前記ソリッドステートボディ（１０）の容積領域内におけるポンピング放射の吸収を上回っていることを特徴とする請求項１から３までのいずれか一項に記載のレーザ増幅システム。
【請求項５】
前記レーザ活性容積領域（２４）は、互いに離隔して配置されるが、積層方向に、互いに上下に配置された表面（２６）内に位置する複数の増幅器構造（３０）を具備することを特徴とする請求項１から４までのいずれか一項に記載のレーザ増幅システム。
【請求項６】
前記包囲構造（３４）は、半導体材料から形成されることを特徴とする請求項１から５までのいずれか一項に記載のレーザ増幅システム。
【請求項７】
前記包囲構造（３４）は、半導体材料から構成される層によって形成されることを特徴とする請求項６に記載のレーザ増幅システム。
【請求項８】
前記増幅器構造（３０）の前記半導体材料は、前記包囲構造（３４）よりも小さなバンド距離を有することを特徴とする請求項６又は７に記載のレーザ増幅システム。
【請求項９】
少なくとも１つのそれぞれの包囲構造（３４）が、前記増幅器構造（３０）が配置されている前記表面（２６）の両側に配置されることを特徴とする請求項１から８までのいずれか一項に記載のレーザ増幅システム。
【請求項１０】
各包囲構造（３４）が、前記表面（２６）に対して横方向に、前記増幅器構造（３０）の厚さの倍数に等しい厚さを有することを特徴とする請求項１から８までのいずれか一項に記載のレーザ増幅システム。
【請求項１１】
前記包囲構造（３０）は、前記表面（２６）に対して横方向に、少なくとも１０ｎｍに等しい厚さを有することを特徴とする請求項１から１０までのいずれか一項に記載のレーザ増幅システム。
【請求項１２】
前記包囲構造（３４）は、前記表面（２０）に対して横方向に、少なくとも３０ｎｍに等しい厚さを有することを特徴とする請求項１１に記載のレーザ増幅システム。
【請求項１３】
前記増幅器構造（３０）は、該増幅器構造の間に位置している中間層（３４）によって互いに分離されていることを特徴とする請求項５から１２までのいずれか一項に記載のレーザ増幅システム。
【請求項１４】
前記増幅器構造（３０）内における前記ポンピング放射場（７０）からの前記ポンピング放射の吸収は、前記中間層（３４）によるポンピング放射の吸収と同等であるか或いはこれを上回っていることを特徴とする請求項１３に記載のレーザ増幅システム。
【請求項１５】
前記レーザ増幅器放射場（２０）は、前記増幅器構造（３０）が延在する前記表面（２６）に対して横方向に進行することを特徴とする請求項１から１４までのいずれか一項に記載のレーザ増幅システム。
【請求項１６】
前記レーザ増幅器放射場（２０）は、ほぼ前記積層方向（２８）において、前記増幅器構造（３０）を通って進行することを特徴とする請求項１４又は１５に記載のレーザ増幅システム。
【請求項１７】
前記増幅器構造（３０）の少なくとも一部においては、該増幅器構造は、それらの間に、前記積層方向（２８）において、最適なレーザ増幅の場合の前記レーザ増幅器放射場（２０）の波長の半分又は該波長の半分の整数倍にほぼ相当する距離（Ａ）を有していることを特徴とする請求項１６に記載のレーザ増幅システム。
【請求項１８】
前記レーザ活性容積領域（２４）のレーザ増幅の際の熱力学的平衡状態における前記増幅器構造（３０）間の前記距離（Ａ）は、最適なレーザ増幅の波長の半分又は該波長の半分の整数倍にほぼ相当することを特徴とする請求項１７に記載のレーザ増幅システム。
【請求項１９】
前記増幅器構造（３０）が配置されている前記表面（２６）は、前記ソリッドステートボディの外側冷却表面（１２）とほぼ平行に延在していることを特徴とする請求項１から１８までのいずれか一項に記載のレーザ増幅システム。
【請求項２０】
前記増幅器構造（３０）が配置されている前記表面（２６）は、前記レーザ増幅器放射場（２０）の出口表面（５０）にほぼ平行に延在していることを特徴とする請求項１から１９までのいずれか一項に記載のレーザ増幅システム。
【請求項２１】
前記レーザ増幅器放射場の波長の倍数に等しい厚さを有する光学的に不活性な層（３４）が、前記レーザ増幅器放射場（２０）のための前記出口表面（５０）と前記増幅器構造（３０）が延在する前記表面（２６）との間に配置されることを特徴とする請求項２０に記載のレーザ増幅システム。
【請求項２２】
前記増幅器構造（３０）は、わずかな厚さの結果として、バンドエッジにおける状態密度の増大が生ずるほどにわずかな厚さを有することを特徴とする請求項１から２１までのいずれか一項に記載のレーザ増幅システム。
【請求項２３】
前記増幅器構造（３０）は、量子構造であることを特徴とする請求項１から２２までのいずれか一項に記載のレーザ増幅システム。
【請求項２４】
前記量子構造（３０）は、該量子構造の材料内における電子の波長の大きさにほぼ相当する厚さを有することを特徴とする請求項１から２３までのいずれか一項に記載のレーザ増幅システム。
【請求項２５】
前記量子構造（３０）は、前記表面（２６）に対して横方向に、２０ｎｍ未満の厚さを有することを特徴とする請求項１から２４までのいずれか一項に記載のレーザ増幅システム。
【請求項２６】
前記量子構造（３０）は、量子膜として形成されることを特徴とする請求項１から２５までのいずれか一項に記載のレーザ増幅システム。
【請求項２７】
前記量子構造（３０）は、量子ワイヤから形成されることを特徴とする請求項１から２６までのいずれか一項に記載のレーザ増幅システム。
【請求項２８】
前記量子構造（３０）は、量子点から形成されることを特徴とする請求項２３から２７までのいずれか一項に記載のレーザ増幅システム。
【請求項２９】
前記ソリッドステートボディ（１０）は、前記レーザ活性容積領域（２４）の一方側に、前記レーザ増幅器放射場（２０）のための反射器（４０）を有することを特徴とする請求項１から２８までのいずれか一項に記載のレーザ増幅システム。
【請求項３０】
前記反射器（４０）は、前記ソリッドステートボディ（１０）内に配置される内部反射器であることを特徴とする請求項２９に記載のレーザ増幅システム。
【請求項３１】
前記内部反射器（４０）は、一連の層（４２）によって形成されることを特徴とする請求項３０に記載のレーザ増幅システム。
【請求項３２】
前記ソリッドステートボディ（１０）には、前記レーザ活性容積領域（２４）の一方側に、前記内部反射器（４０）を形成する反射容積領域（３８）が備えられていることを特徴とする請求項３０又は３１に記載のレーザ増幅システム。
【請求項３３】
前記反射容積領域は、ブラッグ反射器（４０）として設計された領域を有することを特徴とする請求項３２に記載のレーザ増幅システム。
【請求項３４】
前記内部反射器（４０、８０）は、前記冷却表面（１２）から１００μｍ未満に等しい距離に配置されていることを特徴とする請求項２９から３３までのいずれか一項に記載のレーザ増幅システム。
【請求項３５】
前記ポンピング放射場（７０）は、前記増幅器構造（３０）が延在する前記表面（２６）に対して横方向に伸びる方向に、前記レーザ活性容積領域（２４）を複数回通過することを特徴とする請求項１から３５までのいずれか一項に記載のレーザ増幅システム。
【請求項３６】
前記ポンピング放射場（７０）は、前記レーザ増幅器放射場と同じ前記ソリッドステートボディ（１０）の外側表面（５０）を通過することを特徴とする請求項３５に記載のレーザ増幅システム。
【請求項３７】
前記外側表面（５０）は、前記冷却表面（１４）の反対側に位置するように配置されることを特徴とする請求項３６に記載のレーザ増幅システム。
【請求項３８】
前記増幅器構造（３０）が配置されている前記表面（２６）は、前記ポンピング放射場（７０）が通過する前記ソリッドステートボディ（１０）の表面（５０）にほぼ平行に延在していることを特徴とする請求項１から３７までのいずれか一項に記載のレーザ増幅システム。
【請求項３９】
前記ソリッドステートボディ（１０）には、前記レーザ活性容積領域（２４）の一方側に、前記ポンピング放射場（７０）のための反射器（８０）が備えられることを特徴とする請求項１から３８までのいずれか一項に記載のレーザ増幅システム。
【請求項４０】
前記反射器（８０）は、前記ソリッドステートボディ（１０）内に配置される反射器（８０）であることを特徴とする請求項３９に記載のレーザ増幅システム。
【請求項４１】
前記内部反射器（８０）は、一連の層（４２）によって形成されることを特徴とする請求項４０に記載のレーザ増幅システム。
【請求項４２】
前記ポンピング放射場（７０）のための前記内部反射器（８０）は、反射容積領域（３８）によって形成されることを特徴とする請求項４０又は４１に記載のレーザ増幅システム。
【請求項４３】
前記反射容積領域（３８）は、ブラッグ反射器として設計された領域を含むことを特徴とする請求項４２に記載のレーザ増幅システム。
【請求項４４】
前記レーザ増幅器放射場（２０）のための前記反射器（８０）と前記ポンピング放射場（７０）のための前記反射器（８０）は、１つの反射器（４０）を形成するように組み合わされることを特徴とする請求項２９から４３までのいずれか一項に記載のレーザ増幅システム。
【請求項４５】
前記反射器（４０）は、一連の層（４２）によって形成されており、該層の構造及び配置は、前記レーザ増幅器放射場（２０）の波長及び入射角と前記ポンピング放射場（７０）の波長及び入射角に対して最適化されることを特徴とする請求項４４に記載のレーザ増幅システム。
【請求項４６】
前記増幅器構造（３０）は、前記積層方向（２８）に対して横方向に、該方向における前記ソリッドステートボディ（１０）の延在範囲よりも小さな延在範囲を有することを特徴とする請求項１から４５までのいずれか一項に記載のレーザ増幅システム。
【請求項４７】
前記の各表面（２６）内に１つの増幅器構造（３０）が備えられることを特徴とする請求項１から４６までのいずれか一項に記載のレーザ増幅システム。
【請求項４８】
前記の各表面（２６）内に、互いに並んで配列された複数の増幅器構造（３０1〜３０N）が備えられることを特徴とする請求項１から４６までのいずれか一項に記載のレーザ増幅システム。
【請求項４９】
前記ポンピング放射場（７０）は、前記表面（２６）の方向における前記量子構造（３０）の延在範囲よりも小さな表面領域（８８ａ、ｂ）内において、前記のそれぞれの増幅器構造（３０）が延在する前記表面（２６）を通過することを特徴とする請求項１から４８までのいずれか一項に記載のレーザ増幅システム。
【請求項５０】
前記ポンピング放射場（７０）は、前記増幅器構造（３０）が配置されている前記表面（２６）を通過するごとに１つの表面領域（８８ａ、８８ｂ）を通過し、該表面領域（８８ａ、８８ｂ）の合計が、結果的に相互に結合された励起領域（８８）となることを特徴とする請求項４９に記載のレーザ増幅システム。
【請求項５１】
前記ポンピング放射場（７０）は、前記少なくとも１つの増幅器構造（３０）が配置されている前記表面（２６）の複数の接続されていない部分的な表面領域（１００）を同時に通過し、該部分的な表面領域（１００）内に存在する前記少なくとも１つの増幅器構造（３０）を光ポンピングすることを特徴とする請求項１から４９のいずれか一項に記載のレーザ増幅システム。
【請求項５２】
前記ポンピング放射場（７０）は、複数の接続されていないポンピング放射場セグメント（７０’ａ〜ｄ）を有し、該セグメントの各々は、前記部分的な表面領域（１００）の少なくとも１つを通過することを特徴とする請求項５１に記載のレーザ増幅システム。
【請求項５３】
前記積層方向（２８）に対して横方向に互いに並ぶように配列された前記増幅器構造（３０1〜３０N）が、互いに光学的に分離されていることを特徴とする請求項４８から５２までのいずれか一項に記載のレーザ増幅システム。
【請求項５４】
前記増幅器構造（３０1〜３０N）は、光吸収材料から構成されたバリア（１１２）によって互いに分離されていることを特徴とする請求項５３に記載のレーザ増幅システム。
【請求項５５】
前記増幅器構造（３０1〜３０N）は、光吸収材料から構成されたバリア（１１２）によって取り囲まれていることを特徴とする請求項５４に記載のレーザ増幅システム。
【請求項５６】
前記光吸収材料から構成されたバリア（１１２）は、前記増幅器構造（３０）が配置されている前記表面（２６）内において閉曲線を形成していることを特徴とする請求項５５に記載のレーザ増幅システム。
【請求項５７】
前記ソリッドステートボディ（１０）は、前記レーザ活性容積領域（２４）の一方側に、前記レーザ増幅器放射場（２０）に対して反射防止をするように設計されることを特徴とする請求項１から５６までのいずれか一項に記載のレーザ増幅システム。
【請求項５８】
前記ソリッドステートボディ（１０）には、前記レーザ活性容積領域（２４）の一方側に、反射防止容積領域（４８）が備えられていることを特徴とする請求項５７に記載のレーザ増幅システム。
【請求項５９】
前記反射防止容積領域（４８）と、前記反射器（４０、８０）を形成する前記容積領域（３８）とは、積層方向（２８）において、前記レーザ活性容積領域（２４）の異なる側に配置されていることを特徴とする請求項５７又は５８に記載のレーザ増幅システム。
【請求項６０】
前記ソリッドステートボディ（１０）は、前記ポンピング放射場（７０）の入口側で反射防止をするように設計されていることを特徴とする請求項１から５９までのいずれか一項に記載のレーザ増幅システム。
【請求項６１】
前記ソリッドステートボディ（１０）には、反射防止容積領域（４８）が備えられていることを特徴とする請求項６０に記載のレーザ増幅システム。
【請求項６２】
前記ソリッドステートボディ（１０）は、前記レーザ活性容積領域（２４）の一方側に、前記ポンピング放射場（７０）に対して反射防止をするように設計されていることを特徴とする請求項６０又は６１に記載のレーザ増幅システム。
【請求項６３】
前記反射防止容積領域（４８）と、前記反射器（８０）を形成する前記容積領域（３８）は、積層方向（２８）において、前記レーザ活性容積領域（２４）の異なる側に配置されることを特徴とする請求項６２に記載のレーザ増幅システム。
【請求項６４】
前記ポンピング放射場（７０’）は、側部表面（１２０）を経由して前記ソリッドステートボディ（１０）に進入することを特徴とする請求項１から６３までのいずれか一項に記載のレーザ増幅システム。
【請求項６５】
前記ポンピング放射場（７０’）は、広がって前記ソリッドステートボディ（１０）に進入し、前記レーザ増幅器放射場（２０）の光学軸（２２）に対して横方向における反射により、前記ソリッドステートボディ内に導かれることを特徴とする請求項６４に記載のレーザ増幅システム。
【請求項６６】
前記ポンピング放射場（７０’）の前記反射は、前記ソリッドステートボディ（１０）内における屈折率の勾配及び／又は屈折率のステップによって実現されることを特徴とする請求項６５に記載のレーザ増幅システム。
【請求項６７】
前記レーザ増幅器放射場（２０）は、前記ソリッドステートボディ（１０）から離隔して配置された少なくとも１つの外部ミラー（６２）を含む前記増幅器光学手段（６０）によって規定されていることを特徴とする請求項１から６６までのいずれか一項に記載のレーザ増幅システム。
【請求項６８】
前記増幅器の前記光学手段（６０）は、基本モード、又は該基本モード及び該基本モードに近いモードを有するレーザ放射場（２０）のみを許容するように設計されていることを特徴とする請求項１から６７までのいずれか一項に記載のレーザ増幅システム。
【発明の詳細な説明】
【技術分野】
【０００１】
本発明は、冷却部に熱的に結合すると共に、半導体材料からなる少なくとも１つのレーザ活性増幅器構造（laseraktive Verstaerkerstructur）が、少なくとも１つの表面内に配置され、この表面の少なくとも一部の領域にわたって延在するレーザ活性容積領域（laseraktive Volumenbereich）を有するソリッドステートボディ（Festkoerper）と、上記のレーザ活性容積領域を光ポンピング（optische Pumpe）するためのポンピング放射場（Pumpstrahlungsfeld）を生成するポンピング放射源と、上記のレーザ活性容積領域を通過するレーザ増幅器放射場（Laserverstaerkerstrahlungsfeld）を規定する増幅器の光学手段とを備えるレーザ増幅システムに関するものである。
【背景技術】
【０００２】
このタイプのレーザ増幅システムは、現状技術において知られている。
【発明の開示】
【発明が解決しようとする課題】
【０００３】
このタイプのレーザ増幅システムに鑑み、本発明の基本的な目的は、これらのレーザ増幅システムを可能な限り効率的に作動させることである。
【課題を解決するための手段】
【０００４】
この目的は、本発明によれば、上記のレーザ活性増幅器構造内におけるポンピング放射場からのポンピング放射（Pumpstrahlung）の吸収が、この増幅器構造に隣接する包囲構造（Umgebungsstruktur）によるポンピング放射の吸収と同じであるか或いはこれを上回っており、しかも上記のポンピング放射場が、上記の増幅器構造を複数回通過するように進行する、冒頭に記述したタイプのレーザ増幅システムにおいて達成される。
【０００５】
本発明による解決の利点は、この解決により、ポンピング放射が上記の増幅器構造自体によって主に吸収され、従って、正孔及び電子の増幅器構造内への移動の際の損失を低減することができるということにあることが分かる。
【０００６】
更には、上記のポンピング放射場が増幅器構造を複数回通過することにより、増幅器構造の効率的なポンピングが達成される。
【０００７】
この観点において、少なくとも１つの増幅器構造内におけるポンピング放射の吸収が、この増幅器構造に隣接する包囲構造内におけるポンピング放射の吸収を上回る場合に、特に有利である。
【０００８】
又、上記の包囲構造内におけるポンピング放射の吸収が、増幅器構造内におけるポンピング放射の吸収と比較して無視可能であり、従って、増幅器構造が、本質的にポンピング放射によって直接的にポンピングされる場合に、更に良い。
【０００９】
特に、ソリッドステートボディの不必要な加熱を回避するために、少なくとも１つの増幅器構造内におけるポンピング放射の吸収が、この増幅器構造外のソリッドステートボディの残りの容積領域内におけるポンピング放射の吸収を上回っている場合に、特に有利である。
【００１０】
本発明による解決に関する以上の説明においては、レーザ活性容積領域の設計の詳細については、まだ説明していないが、原理的には、まずは、関連付けられた表面内に延在する１つの増幅器構造を備えるだけで十分である。
【００１１】
しかしながら、互いにある距離で離隔して位置するが、積層方向において互いに上下に配置された表面内にある複数の増幅器構造を上記のレーザ活性容積領域が具備することにより、レーザ増幅器放射場の増幅を更に改善可能である。この結果、レーザ増幅器放射場が個々の増幅器構造を通過するときに、それぞれの増幅器構造がレーザ増幅器放射場の増幅に寄与できるようになる。
【００１２】
以上の説明においては、包囲構造の設計の詳細については、まだ説明していないが、原理的には、この包囲構造は、増幅器構造の直接的な機能に決定的な影響を及ぼさないため、増幅器構造との干渉が生じない限り、任意に選択した材料によって構成可能であろう。
【００１３】
しかしながら、包囲構造は、それが半導体材料から形成される場合には特に干渉することなく動作し、この包囲構造は、結晶構造を有し、また増幅器構造自体と本来同一の格子定数でない場合にも、類似の格子定数を有することが好ましい。
【００１４】
特に有利な解決によれば、この包囲構造は、半導体材料から構成された層によって形成されるべきであり、これによって、その量子構造（Quantenstruktur）に隣接して簡単な方式で包囲構造を構築可能であるためである。
【００１５】
光ポンピングによって生成される電子及び正孔が増幅器構造内に確実に留まるようにするために、増幅器構造の半導体材料は、その包囲構造よりも小さなバンド距離（Bandabstand）を有することが好ましい。
【００１６】
このバンド距離は、半導体技術における慣習的な用語として理解するべきもの、即ち、最上位の価電子帯（Valenzband）と最下位の伝導帯（Leitungsband）の間のエネルギー差のことである。
【００１７】
ソリッドステートボディ内に増幅器構造を好適に埋め込むことによって、その増幅器構造が配置されている表面の両側に、少なくとも１つの個別の包囲構造が配置される。
【００１８】
以上においては、包囲構造自体の設計の詳細については、まだ説明していないが、例えば、１つの有利な解決法によれば、それぞれの包囲構造は、ソリッドステートボディのその他の領域の影響に対して増幅器構造の最適な埋め込みと遮へい（Abschirmung）を達成することができるように、上記の表面に対して横方向に、増幅器構造の厚さの倍数に等しい厚さを有する。
【００１９】
この点については、例えば、包囲構造は、上記の表面に対して横方向に、少なくとも１０ｎｍに等しい厚さを有する。
【００２０】
包囲構造が、上記の表面に対して横方向に、少なくとも３０ｎｍに等しい厚さを有している場合が、一層良い。
【００２１】
本発明による解決法に関する以上の説明においては、レーザ活性容積領域内における増幅器構造の配置の詳細については、まだ説明していないが、例えば、１つの特に好適な解決法によれば、増幅器構造は、それらの間に位置する中間層によって互いに分離される。
【００２２】
これらの中間層は、任意に選択した材料から構成可能である。
【００２３】
このタイプの中間層は、好ましくは、増幅器構造に隣接して配置されたそれぞれの包囲構造を有することになる。この点において、これらの中間層は、包囲構造とは別個に構築可能である。しかしながら、包囲構造間に、追加の材料又は異なるタイプの材料から構成される中間層を備えることも可能である。
【００２４】
これらの中間層は、増幅器構造内におけるポンピング放射場からのポンピング放射の吸収が、この中間層によるポンピング放射の吸収に等しいか或いはこれより大きいような材料から構成されるのが好ましい。
【００２５】
これらの中間層によるポンピング放射の吸収は、増幅器構造内におけるポンピング放射の吸収と比べて、無視可能であることが好ましい。
【００２６】
以上においては、増幅器構造が配置されている表面との関連におけるレーザ増幅器放射場の進行コース（Verlauf）の詳細については、まだ説明していない。
【００２７】
レーザ増幅器放射場内おける特に有利な増幅は、レーザ増幅器放射場が、増幅器構造が延在する表面に対して横方向に進行する場合に、達成可能である。
【００２８】
この点については、レーザ増幅器放射場は、ほぼ増幅器構造の積層方向の方向に進行することが好ましい。
【００２９】
以上においては、レーザ増幅器放射場の進行コースの方向における増幅器構造間の距離の詳細については、まだ説明していない。
【００３０】
増幅器構造の少なくとも一部においては、１つの特に有利な解決法によれば、これらは、例えば、レーザ増幅器放射場の進行コースの方向、好ましくは、その積層方向において、最適なレーザ増幅の場合のレーザ増幅器放射場の波長の半分又はその波長の半分の整数倍にほぼ相当する距離を有する。
【００３１】
この結果、増幅器構造の全てを積層方向において所定の距離で配列するか、或いは、複数の増幅器構造を組み合わせて、それぞれのグループ内において小さな距離で配列される増幅器構造を有する複数のグループを形成し、そして、異なるグループの増幅器構造が所定の距離で同じ様に配列されるように、これら増幅器構造のグループを所定の距離で配列することが可能である。
【００３２】
このようなソリッドステートボディ内における増幅器構造間の距離により、ポンピング放射源による光ポンピングによるレーザ活性容積領域のレーザ増幅が何ら生じない場合には、それらの距離が、もはや、レーザ活性容積領域のレーザ増幅状態における所定の距離に正確に対応していない危険性がある。
【００３３】
このため、この増幅器構造間の距離は、レーザ活性容積領域のレーザ増幅中のソリッドステートボディの熱力学的平衡状態における最適なレーザ増幅の波長の半分の倍数に対応していることが好ましい。
【００３４】
以上においては、それぞれに属する増幅器構造が配置される表面のアライメント（Ausrichtung）の詳細については、まだ説明していない。
【００３５】
１つの好適な解決法によれば、増幅器構造が配置される表面は、ソリッドステートボディの外側冷却表面に対してほぼ平行に延在する。
【００３６】
更なる有利な解決法によれば、増幅器構造が配置される表面は、レーザ増幅器放射場の出口表面にほぼ平行に延在する。
【００３７】
この場合、このほぼ平行とは、上記の表面が互いに最大１０°の角度を形成し得ることを意味する。
【００３８】
本発明によるレーザ増幅システムの場合には、上記の表面の方向に伝播する放射又はその表面に対してある角度で伝播する放射の場合にも生ずる如何なる放射増幅をも防止するために、レーザ増幅器放射場の波長の倍数に達する厚さを有する光学的に不活性な層が、レーザ増幅器放射場の出口表面と増幅器構造が延在する表面との間に配置されることが好ましい。
【００３９】
以上においては、増幅器構造自体の設計の詳細については、まだ説明していない。
【００４０】
例えば、１つの有利な解決法によれば、増幅器構造は、増幅器構造のバンドエッジ（Bandkante）における状態密度（Zustandsdichte）の増加がその結果として発生するほどにわずかな厚さを有する。
【００４１】
増幅構造は、半導体レーザの場合に使用されている通常の量子構造より、それぞれの表面に対して直角の方向において、厚いものであってよい。しかしながら、有利な解決によれば、この増幅器構造は、量子構造として設計される。
【００４２】
この場合、これらの量子構造の厚さは、特に、ほぼその量子構造の材料内における電子の波長の大きさのオーダ内にある。
【００４３】
この量子構造は、それらの厚さが、上記の表面に対して横方向に、２０ｎｍ未満になるように寸法決めされるのが好都合である。
【００４４】
この量子構造自体の設計に関しては、様々な可能性が考えられる。
【００４５】
例えば、１つの可能性として、量子構造は、量子膜（Quantenfilm）として設計され、このような量子膜は、ほぼ二次元の電子ガスを有する。
【００４６】
量子構造を実現するための更なる可能性は、これを量子ワイヤ（Quantendraht）から形成することであり、このような量子ワイヤは、ほぼ一次元の電子ガス（Elektronengas）を有する。
【００４７】
更なる可能性は、量子構造を量子点（Quantenpunkt）から形成することであり、従って、ほぼゼロ次元の電子ガスを有するようにすることである。
【００４８】
以上においては、ソリッドステートボディ内におけるレーザ増幅器放射場の進行コースの詳細については、まだ説明していないが、例えば、レーザ増幅器放射場がソリッドステートボディを完全に通過することが考えられよう。
【００４９】
しかしながら、最適な方式で一方側においてソリッドステートボディを冷却できるようにするために、即ち、好ましくは、少なくとも上記の表面の方向におけるレーザ増幅器放射場の延在範囲（Ausdehnung）にわたって実質的に均一な温度勾配が、冷却表面の方向においてソリッドステートボディ内に生じるようにするために、ソリッドステートボディは、レーザ活性容積領域の一方側にレーザ増幅器放射場のための反射器（Reflektor）を有するようにする。
【００５０】
この場合、この反射器は、例えば、ソリッドステートボディの外側表面に誘電体層としてつけることが可能であろう。
【００５１】
しかしながら、ソリッドステートボディは、上記の反射器が特に単結晶層を有するソリッドステートボディの内部反射器である場合に、この結果として、誘電体、特に、このソリッドステートボディに、特に、その冷却表面の領域内につけられる多結晶又は非晶質層（Amorphen Schicht）の不都合な断熱効果を回避することができるので、特に有利に冷却可能である。
【００５２】
この点においては、上記の内部反射器は、ソリッドステートボディ内において、一連の層によって形成されるのが好ましい。
【００５３】
特に有利な解決法によれば、ソリッドステートボディには、レーザ活性容積領域の一方側に、上記の内部反射器を形成する反射容積領域（reflektierende Volumenbereich）が備えられており、この反射容積領域内に、上記の複数の層が配列されている。
【００５４】
この点において、特に有利な解決法によれば、この反射容積領域は、ブラッグ反射器（Braggreflektor）として設計された領域を有する。
【００５５】
本発明によれば、ソリッドステートボディは、特に、上記の内部反射器が冷却表面から１００μｍ未満に達する距離に配置される場合に、最適な方式で冷却可能である。
【００５６】
以上においては、ソリッドステートボディ内のポンピング放射場の進行コースの詳細については、まだ説明していないが、例えば、１つの有利な実施例によれば、ポンピング放射場は、増幅器構造が延在する表面に対して横方向に伸びる方向に、レーザ活性容積領域を複数回通過するようにされる。
【００５７】
特に有利な解決法によれば、ポンピング放射場は、レーザ増幅器放射場と同じソリッドステートボディの外側表面を通過する。
【００５８】
この場合、この外側表面は、冷却表面の反対側に位置するように配置されたソリッドステートボディの外側表面であることが好ましい。
【００５９】
増幅構造が延在する表面と、このポンピング放射場の通過のための表面の相対的な配列に関しては、特に有利な解決法によれば、増幅器構造が配置されている表面は、ポンピング放射場の通過のためのソリッドステートボディの表面に平行に延在するようにされる。
【００６０】
以上においては、ソリッドステートボディをポンピング放射場が複数回通過する間のポンピング放射場の案内（Fuehrung）の詳細については、まだ説明していないが、例えば、ポンピング放射場が外部の光学装置によって案内されるように、ソリッドステートボディを配置し、単にポンピング放射場がソリッドステートボディを完全に複数回通過するように、ソリッドステートボディを配置することが考えられよう。
【００６１】
しかしながら、ソリッドステートボディが、レーザ活性容積領域の一方側に、ポンピング放射のための反射器が備えられる場合が、特に有利である。
【００６２】
この反射器は、ソリッドステートボディの外側表面上に置くことができる。しかしながら、この反射器が、ソリッドステートボディ内に配置される内部反射器である場合が、更に有利である。
【００６３】
この点において、ポンピング放射場のための反射器は、一連の層から形成されるのが好ましい。
【００６４】
この一連の層は、ソリッドステートボディ内に任意に選択されて分布するように配列可能であろう。
【００６５】
しかしながら、ポンピング放射場用の内部反射器が、それ自体に複数の層を有する反射容積領域によって形成される場合が、特に好都合である。
【００６６】
有利な設計によれば、この反射容積領域は、ブラッグ反射器として設計された領域を有する。
【００６７】
ソリッドステートボディが、レーザ増幅器放射場のための内部反射器のみならず、ポンピング放射場のための内部反射器をも有する場合には、原理的に、これら２つの内部反射器は、互いに独立的に設計可能であるが、これは、これらの反射器の１つが、常に、それぞれ他方の放射場を可能な限り全く吸収しないということを前提とするものである。
【００６８】
従って、特に有利な解決法によれば、レーザ増幅器放射場用の反射器とポンピング放射場用の反射器を組み合わせて１つの反射器を形成するようにされる。
【００６９】
この場合、この反射器は、一連の層によって形成されるのが好ましく、この構造及び配列は、特に、レーザ増幅器放射場とポンピング放射場の入射角度が異なることのために両方の放射場に対して最適な反射を達成できるように、レーザ増幅器放射場の波長及び入射角度とポンピング放射場の波長及び入射角度とについて最適化される。
【００７０】
それぞれに関連している表面の方向における、従って、積層方向に対して横方向における増幅器構造の延在範囲の詳細については、まだ説明していないが、最も簡単な場合においては、増幅器構造は、ソリッドステートボディの端部表面（Randflaeche）まで、積層方向に対して横方向に、従って、関連している表面の方向に延在するようにされる。
【００７１】
しかしながら、この表面の方向における増幅器構造の延在範囲を小さく保つために、従って、この表面の方向における、レーザ増幅の波長を有する放射の如何なる増幅をも抑制するために、増幅器構造は、積層方向に対して横方向に、この方向におけるソリッドステートボディの延在範囲よりも小さな延在範囲を有するようにされるのが好ましい。
【００７２】
この点において、増幅器構造と関連しているそれぞれの表面内に、１つの増幅器構造のみを備えることが考えられる。
【００７３】
しかしながら、この代わりに、互いに並べて配列された複数の増幅器構造をそれぞれの表面内に備えることも考えられる。
【００７４】
本発明によって設計された増幅器構造を最適な方式でポンピングできるようにするために、ポンピング放射場が、それぞれの増幅器構造が延在する表面を、その表面の方向における増幅器構造の延在範囲よりも小さな表面領域内において通過するようにし、従って、ポンピング放射場のポンピング放射を最適に利用できるようにすることが好ましい。
【００７５】
特に、多重励起（Mehrfachanregung）の場合には、ポンピング放射場は、増幅器構造が配置されている表面を通過するごとにその間に１つの表面領域を通過し、その結果、これらの表面領域の合計が、相互に接続された励起領域となり、特に、これらの表面領域が、可能な限りオーバラップするようにされることが好ましい。
【００７６】
更なる解決法によれば、ポンピング放射場は、少なくとも１つの増幅器構造が配置されている表面の複数の接続されていない部分の表面領域を同時に通過し、それらの表面領域内に存在する少なくとも１つの増幅器構造を光ポンピングするようにされる。
【００７７】
このようなポンピング放射場の進行コースは、それぞれが、少なくとも１つの増幅器構造が配置されている表面の部分表面領域を通過する複数の接続されていないポンピング光放射場セグメント（Pumplichtstrahlungsfeldsegment）をポンピング放射場が有することによって達成可能であることが好ましい。
【００７８】
特にレーザ増幅器放射場の波長を有し、増幅器構造の表面の方向に伝播する放射の増幅を抑制する本発明による解決法の更に改善された実施例によれば、積層方向に対して横方向に連結するように配列された増幅器構造が、互いに光学的に分離されるようにされる。
【００７９】
この点において、増幅器構造は、光吸収材料から構成されるバリアによって互いに分離されるのが好ましく、この吸収材料は、量子構造のレーザ増幅の波長範囲において主に吸収するのが好ましい。
【００８０】
増幅器構造が配置されている表面の方向におけるこの望ましくない増幅の抑制は、光吸収材料から構成されるバリアによって増幅器構造を取り囲む場合に、特に良好である。
【００８１】
このタイプのバリアは、光吸収材料から構成されるバリアが、増幅器構造が配置されている表面内において閉曲線を形成している場合に、特に有利に実現することができる。
【００８２】
レーザ増幅器放射場の結合及び非結合（Einkopplung und Auskopplung）を最適化するためにソリッドステートボディは、レーザ活性容積領域の一方側に、レーザ増幅器放射場に対して反射防止を行うように設計されることが好ましい。
【００８３】
これは、例えば、反射防止層によって実現可能であろう。
【００８４】
しかしながら、特に、ソリッドステートボディが既に個々の層から構築済みである場合、このソリッドステートボディがレーザ活性容積領域の一方側に反射防止容積領域を備える場合に、特に有利である、
【００８５】
このような反射防止容積領域は、半導体材料又は半導体の様な材料から同じ様に製造される複数の層から構成されることが好ましい。
【００８６】
特に、この反射防止容積領域と反射器を形成する容積領域は、積層方向において、レーザ活性容積領域の別々の側に配置される。
【００８７】
また、ポンピング放射場の最適な結合をも実現するために、ソリッドステートボディは、ポンピング放射場の入射側で反射防止されるように設計されるのが好ましい。
【００８８】
このソリッドステートボディの反射防止設計は、反射防止容積領域によって実現可能であるのが好ましい。
【００８９】
一実施例においては、ポンピング放射場は、レーザ活性容積領域の少なくとも１つの表面の延長に対して横方向に、ソリッドステートボディに入射するのが好ましい。この場合には、ソリッドステートボディは、レーザ活性容積領域の一方側にポンピング放射場に対して反射防止するように設計され、この反射防止構造はまた、意図的にレーザ活性容積領域に対して横方向に伸びる増幅器放射場に対して反射防止するようにされる。
【００９０】
この解決法では、反射防止容積領域と反射器を形成する容積領域は、積層方向において、レーザ活性容積領域の別々の側に配置されるのが好ましい。
【００９１】
以上の個々の実施例に関する説明の範囲においては、レーザ増幅器放射場もその表面を通って出て行く外側表面と同じ外側表面を通じて、ポンピング放射場がソリッドステートボディに入る実施例についてのみ述べられている。
【００９２】
この代わりに（或いは、これに加えて）、更なる好適な実施例においては、ポンピング放射場は、レーザ活性容積領域の少なくとも１つの表面の延長部に略平行な側面を経由してソリッドステートボディに進入する。
【００９３】
この結果、レーザ増幅器放射場に対して横方向に、ソリッドステートボディをポンピングすることができる。
【００９４】
最適な方式で増幅器構造を光ポンピングできるようにするために、ポンピング放射場は、広がってソリッドステートボディに進入し、その内部において、レーザ増幅器放射場の光軸に対して横方向の反射によって導かれる。
【００９５】
このようにポンピング放射場がソリッドステートボディ内に広がって進入した結果、複数の伝播方向における放射が生成され、これが、反射中に、一方において、均一な強度を有する大きな増幅構造のポンピングをもたらし、その場合、ポンピング放射場が増幅器構造を複数回通過する効果をもたらすことになる。
【００９６】
このソリッドステートボディ内におけるポンピング放射場の反射は、様々な手段によって実現可能である。例えば、ポンピング放射場に対して調節された特殊な反射器をソリッドステートボディ内に備えることが考えられよう。
【００９７】
尚、これらの反射器をレーザ増幅器放射場が通過する場合には、これらの反射器は、レーザ増幅器放射場に対して透明になるように設計される。
【００９８】
しかしながら、特に有利な解決法によれば、このポンピング放射場の反射は、ソリッドステートボディ内の屈折率の傾斜（Brechungsindexgradient）によって実現される、即ち、この反射は、個々の屈折率の傾斜における角度が全反射（Totalreflexion）の臨界角度（Grenzwinkel）を下回らず、この結果、常に全反射が存在するように実現される。
【００９９】
以上においては、レーザ増幅器放射場の設計及び決定の詳細について、まだ説明していないが、例えば、１つの有利な実施例によれば、レーザ増幅器放射場は、ソリッドステートボディからある距離に配置された少なくとも１つの外部ミラーを有する増幅器の光学手段によって規定されており、従って、この増幅器の光学手段が、最適な方式でレーザ増幅器放射場を決定するための自由度を提供する。
【０１００】
基本モード（Grundmode）、又は基本モード並びにこの基本モードに近いモードを有するレーザ放射場の進入のみを許容し、この結果、良好な焦点合せ（Fokussierung）が重要なすべてのアプリケーションにとって有利なモード構造をレーザ増幅器放射場が有するように上記の増幅器の光学手段が設計されている場合に、本発明による解決法は、特に有利である。
【０１０１】
本発明の更なる特徴と利点は、以下の説明と、いくつかの実施例を例示している図面の主題をなしている。
【発明を実施するための最良の形態】
【０１０２】
図１及び図２に示されている本発明によるレーザ増幅システムの第１実施例は、冷却部材１６の外側表面１４の冷却表面１２に配置されたソリッドステートボディ１０を有しており、冷却部材１６とソリッドステートボディ１０の間には、外側表面１４における冷却表面１２の面接合によって、良好な熱結合が実現されている。
【０１０３】
このソリッドステートボディ１０は、ソリッドステートボディ１０を通過して、例えば、光軸２２に沿って伝播するレーザ増幅器放射場２０の光学的増幅の役割を果す。
【０１０４】
図２に示されているように、レーザ増幅器放射場２０を増幅するために、ソリッドステートボディ１０内には、レーザ活性容積領域２４が備えられており、このレーザ活性容積領域は、量子構造３０ａ、３０ｂ、及び３０ｃとして設計され、そして互いに平行に延在すると共に互いに上下に配置された表面２６ａ〜２６ｃ内に延在する増幅器構造を有しており、これらの増幅器構造は、半導体材料から製造されると共に、表面２６に対して横方向に、その量子構造を形成する半導体材料内の電子の波長の最大１０倍程度の大きさの厚さを有し、これは等倍の厚さが更に良好である。例えば、半導体材料ＧａＡｓの厚さは、通常、約５〜約１００ｎｍであるが、約５〜約１０ｎｍが好ましい。
【０１０５】
この結果、これらの量子構造３０ａ〜３０ｃにより、それらの中に存在する電子ガスの延在範囲が決定され、従って、寸法が制限された電子ガスが存在している。これらの量子構造３０ａ〜３０ｃは、例えば、表面２６内に延在し二次元の電子ガスを有する膜、表面２６内に延在し一次元の電子ガスを有する量子ワイヤ、あるいは表面２６内に配列され、ゼロ次元の電子ガスを有する量子点として形成可能である。
【０１０６】
このような量子構造については、例えば、Karl Joachim Ebelingの著作である「Integrierte Optoelektronik」(Springer Verlag、１９９２年、２１５〜２２１頁）に記載されている。
【０１０７】
この点において、表面２６は、好ましくは、冷却表面１２に対して略平行で、光軸２２に対して横方向に延在しているのが好ましく、レーザ増幅器放射場２０の光軸２２に対して直角であるのが更に良好であり、表面２６は、積層方向２８において、レーザ増幅器放射場２０の波長の半分又は波長の半分の整数倍の大きさ程度だけ互いに離れた距離Ａを有する。
【０１０８】
このような表面２６の等距離配列の代わりに、その内部に量子構造が備えられた互いに極めて近接して位置する表面のグループを備え、これらの異なるグループの表面の間に、レーザ増幅器放射場２０の波長の半分の整数倍の大きさ程度の距離Ａを備えることも可能である。
【０１０９】
量子構造３０は半導体材料から成る層であるので、これらは、両側において対応する表面２６ａ〜２６ｃと隣接している包囲構造３４ａ、３４ｂ、３４ｃ、及び３４ｄの間にそれぞれ配置されているのが好ましく、ここで、例えば、包囲構造３４ａ及び３４ｂは、表面２６ａの両側に配置され、従って、積層方向２８において見た場合に、量子構造３０ａは、これらの間に取り囲まれている。
【０１１０】
また、これらの包囲構造３４も、半導体材料から構成されるのが好ましい。特に、この包囲構造が量子構造３０の半導体材料と同一の結晶構造及び格子定数（Gitterkonstante）を有し、従って、包囲構造３４の半導体材料が、好ましくは、本質的に類似した半導体材料であるのが有利である。
【０１１１】
この点において、包囲構造３４は、それらに隣接する量子構造の厚さよりも大きな厚さを有するのが好ましく、量子構造３０の倍数になっているのが更によい。
【０１１２】
包囲構造３４は、特に、その最小値が１０ｎｍ〜１００ｎｍの範囲にある厚さを有する。
【０１１３】
積層方向２８に互いに並んで位置するように配列された２つの量子構造３０間に配置されているこれらの包囲構造３４は、全体として、積層方向２８に互いに並んで位置するように配列されているこれらの量子構造３０間の距離を規定する中間層を形成可能である。
【０１１４】
しかしながら、積層方向２８に互いに並んでいる２つの包囲構造３４間、即ち、それぞれ量子構造３０と対向していない側に追加の層構造を備え、従って、中間層が、包囲構造３４と、それらの間に配置された中間構造から全体として形成されるようにすることも考えられる。
【０１１５】
しかしながら、図４に示されているように、包囲構造３４間のバンド距離ＥUは、量子構造３０間のバンド距離ＥQよりもかなり大きくなっている。
【０１１６】
このバンド距離ＥU及びＥQ間の差は、量子構造３０の光ポンピングに関連して詳細に後述するように、明らかに異なっているのが好ましい。
【０１１７】
特に、ソリッドステートボディ１０は、反射容積領域３８を有するのが好ましく、この領域には、ブラッグ反射器４０を形成すると共に、特に表面２６に対して本質的に平行に延在する表面４４内において光軸２２に対して横方向に、好ましくは、直角に同じ様に延在するいくつかの層４２が配列されている。
【０１１８】
この反射容積領域３８は、レーザ活性容積領域２４と冷却表面１２の間に配置される。
【０１１９】
更には、ソリッドステートボディ１０は、この反射容積領域３８の反対に位置するレーザ活性容積領域２４の一方側に配置されて、レーザ増幅器放射場２０のためのソリッドステートボディ１０の出口表面５０に隣接している反射防止容積領域４８を有する。
【０１２０】
この場合、この反射防止容積領域４８も、特に表面２６及び表面４４に平行に伸び、これにより、光軸２２に対して横方向に、好ましくは、直角に、同様に延在する表面５４内において延在する少なくとも１つの層５２から形成されているのが好ましい。
【０１２１】
更には、出口表面５０も、表面２６、４４、及び５４にほぼ平行に延在するように設計される。
【０１２２】
反射容積領域３８内のブラッグ反射器４０は、全体として６０として示されている増幅器光学手段のミラーを形成するが、この増幅器光学手段６０の第２の、例えば、部分的に透明なミラー６２は、出口表面５０から離隔して、好ましくは、これからある大きな距離だけ離して、配置される。この増幅器光学手段６０は、レーザ増幅器放射場２０が、通常、増幅器光学手段６０の基本モードのレーザ増幅器放射場２０を表すと共に、恐らくは、これに加えて、更に高次のモードであるが、本質的に基本モードに近いモードのみをも有するように設計される。
【０１２３】
レーザ活性容積領域２４内の量子構造３０は、全体として７０として示され、ポンピング放射源７２から進行してソリッドステートボディ１０を複数回通過するポンピング放射場によって、ポンピングされる。
【０１２４】
例えば、第１実施例においては、このポンピング放射場７０の第１ブランチ（Ast）７４は、ポンピング放射源からソリッドステートボディ１０内に進行して、レーザ活性容積領域２４を通過し、これにより、その断面７６内に配置されている量子構造３０をポンピングする。
【０１２５】
続いて、ポンピング放射場７０は、ポンピング放射場７０に対する反射器８０で反射され、従って、第１ブランチ７４は、反射器８０によって第２ブランチ７８内に写像（Abbild）され、これが、反射器８０から偏向ミラー８２の方向に進行することになり、この結果、この第２ブランチ７８も、レーザ活性容積領域２４を通過し、これにより、その断面内に配置されている量子構造３０を光ポンピングする。例えば、偏向ミラー８２においてポンピング放射場７０の戻りの反射が発生し、従って、第２ブランチ７８から写像された第３ブランチ８４が、第２ブランチ７８とは正反対の方向に進行し、そして再び、ソリッドステートボディ１０に進入し、レーザ活性容積領域２４を通過して、その断面内に配置されている量子構造３０を光ポンピングし、反射器８０で反射され、従って、ポンピング放射場７０の第４ブランチ８４に写像され、これが、反射器８０から進行して再度ポンピング光放射源７２の方向に伸び、従って、レーザ活性容積領域２４をもう一度通過して、その断面内に配置されている量子構造３０を光ポンピングする。
【０１２６】
ポンピング放射場７０がレーザ活性容積領域２４を全部で４回通過するため、量子構造３０によるポンピング放射場７０の吸収が低い場合にも、量子構造３０の効率的な多重ポンピングを行うことができる。
【０１２７】
この図示の第１実施例においては、反射器８０は、同様にブラッグ反射器として設計されていると共に、ブラッグ反射器４０によっても形成されている、即ち、ブラッグ反射器４０は、一方においては、光軸２２に沿って伝播するレーザ増幅器放射場２０に対して可能な限り良好な反射を提供するように設計すると共に、他方においては、光軸２２に対して鋭角で入射するポンピング放射場７０に対して可能な限り良好な反射を提供するように設計するように、層４２の数とそれらの間の距離に関して寸法決めが行われる。
【０１２８】
これら２つの放射場２０、７０は、層４２に異なる角度で衝突するので、２つの異なる波長に対して、ブラッグ反射器４０、８０を最適化可能である。
【０１２９】
この点においては、特に、長い波の放射よりも、より大きな入射角でより短い波の放射が入射する場合のほうが有利である。
【０１３０】
しかしながら、この代わりに、一変形の範囲内において、レーザ活性容積領域２４と対向していないブラッグ反射器４０の一方側に反射器８０を配置することも可能であるが、この場合には、ブラッグ反射器４０を、ポンピング放射場を吸収しないように設計しなければならない。
【０１３１】
他の可能性は、反射器８０を、例えば、冷却表面１２上に位置するように配置された反射層として設計することであろう。
【０１３２】
このポンピング放射場７０の反射とブランチ７４及び７８並びに８４及び８６の形成の結果として、量子構造３０ｃが延在している表面２６ｃは、例えば、一方において、表面延在範囲（Flaechenausdehnung）Ｆaを有する表面領域８８ａ内において、即ち、ブランチ７４及び８６によって通過され、他方においては、表面延在範囲Ｆbを有する表面領域８８ｂ内において、即ち、ブランチ７８及び８４によって、通過されることになる。
【０１３３】
この点において、これらの表面領域８８ａ及び８８ｂは、大部分がオーバーラップし、全体として相互に結合された励起領域８８を提供しており（図３）、この場合、表面領域８８ａ及び８８ｂのオーバーラップ領域８８ｃにおいてのみではあるが、量子構造３０ｃの本質的に均質なポンピングが行われることになり、従って、レーザ増幅器放射場２０は、表面２６ｃの方向において、この表面領域８８ａ及び８８ｂのオーバーラップ領域８８ｃにわたって本質的に延在するが、特に、これらを超えて突出しない延在範囲を有することが好ましい。
【０１３４】
これと同じ考慮は、例えば、表面２６ｂ及び２６ａ内の量子構造３０ａ及び３０ｂなどの残りの量子構造に対してもなされるが、反射器８０から最も遠く離れている量子構造３０ｃは、表面領域８８ａ及び８８ｂの最も小さなオーバーラップ領域８８ｃを有する。
【０１３５】
図１及び図２において、レーザ増幅器放射場２０の光軸２２に対するブランチ７４、７６、８４、８６の経路は、実際的に示されているものではなく、概略的にしか示されていなく、光軸２２に対する角度は、ソリッドステートボディ１０の外よりも、ソリッドステートボディ内において、より高い屈折率のために、より小さくなる。
【０１３６】
ポンピング放射場７０がそれぞれの量子構造を複数回通過する第１実施例との関連で示されている上記の解決法は、ポンピング放射場７０のこの種のガイドの最も簡単な場合を表している。
【０１３７】
ポンピング放射場７０のガイドの更に複雑な形態については、例えば、欧州特許出願第０  ６３２  ５５１号、又は独国特許出願第１００  ０５  １９５号、又は独国特許出願第１９８  ３５  １０７号、又は独国特許出願第１９８  ３５  １０８号明細書に記載されており、ポンピング放射場をガイドするための様々な可能性に関しては、これらを参照すれば充分である。
【０１３８】
本発明による解決法の場合には、量子構造３０を形成する半導体材料の上部価電子帯Ｖと下部伝導帯Ｌ間のバンド距離ＥQは、図４に基づいて前述したように、包囲構造３４を形成する半導体材料のバンド距離ＥUよりも明らかに小さく、従って、光の波長、従って、ポンピング放射場７０の光子のエネルギーＥPを選択することにより、ポンピング放射場７０によって、量子構造３０の半導体材料の光ポンピングのみが行われ、好ましくは、包囲構造３４の半導体材料の光ポンピングや、またソリッドステートボディ１０を形成するその他の材料の光ポンピングが生じないようにすることができる。
【０１３９】
逆に、ソリッドステートボディ１０は、量子構造３０及び反射器８０とは異なり、ソリッドステートボディ１０がポンピング放射場７０及びレーザ増幅器放射場２０に対して可能な限り良好な透明性を有するように構築される。
【０１４０】
本発明によるソリッドステートボディ１０は、エピタキシー（Epitaxie）によって基板９０上に生成されるのが好ましく、その際には、ブラッグ反射器４０、８０を形成する層４２を有する反射容積領域３８を、まず、基板９０上に直接構築し、これに続いて、例えば、最も簡単な場合においては、包囲構造３４を形成し、次いで、この上に量子構造３０ａを形成する。次いで、この量子構造３０ａに、例えば、包囲構造３４ｂの追加の包囲構造を形成し、次いで、再び包囲領域３４ｃ、この上に、量子構造３０ｃ、そして、最後に包囲構造３４ｄを形成する。しかしながら、これに続いて、もっと多くの量子構造３０及び包囲構造を交互に上下に並べて形成し、それら全体がレーザ活性容積領域２４を形成することも可能である。
【０１４１】
最後に、このレーザ活性容積領域２４上に、例えば、反射防止層５２を有する反射防止容積領域４８を形成する。
【０１４２】
適用可能な場合には、レーザ活性容積領域２４と反射防止容積層４８の間に、例えば、パッシベーション層（Passivierungsschicht）などの追加の機能層を備える。
【０１４３】
冷却表面１２を介して可能な限り有利に冷却部材１６にソリッドステートボディ全体を結合させるために、可能な限り薄い基板９０を選択するか、或いは、反射容積領域３８、レーザ活性容積領域２４、及び反射防止容積領域４８を構築した後に再び、例えば、反射容積領域３８を付ける直前に基板９０上に設けられた腐食停止層（Aetzstoppschicht）９２のところまで材料を基板９０から除去するのが好ましい。
【０１４４】
この結果、冷却表面１２と反射容積領域３８間の距離を可能な限り小さく保つことが可能になり、従って、冷却表面１２と、ポンピング放射場７０の吸収のために加熱するので可能な限り効率的に冷却する必要があるレーザ活性容積領域２４との間の距離をも可能な限り小さく保つことも可能となる。
【０１４５】
一般な目標としては、ソリッドステートボディ１０の反射容積領域３８と冷却表面１２の間の距離は、可能な限り、１００μｍ未満になるようにする。
【０１４６】
図５に示されている本発明によるレーザ増幅システムの第２実施例においては、ソリッドステートボディ１０’は、まず最初にレーザ活性容積領域２４を基板９０上に構築し、これに続いて反射容積領域３８を形成することにより、この反射容積領域３８が、ソリッドステートボディ１０に付けられる最後の層を形成し、次いで、ソリッドステートボディ１０’の冷却表面１２を反射容積領域３８の最上位の層によって形成することにより、ソリッドステートボディ１０’を冷却表面１２を有する冷却部材１６の外側表面１４上に配置したときに、反射容積領域３８と冷却表面１２の間の距離を可能な限り小さくできるようになる。
【０１４７】
この第２実施例においては、続いて、レーザ活性容積領域２４の反対側に位置する基板９０の一方側に付けられて出口表面５０を形成する反射防止層によって、反射防止容積領域４８を形成する。
【０１４８】
尚、この第２実施例は、第１実施例と同じように設計されているため、詳述していない特徴に関しては、第１実施例に関する説明をすべて参照することができる。
【０１４９】
図６に示されている本発明によるレーザ増幅システムの第３実施例においては、光軸２２に対して横方向におけるレーザ増幅器場の、特に、反射防止容積領域４８’内における如何なる導波をも回避するために、これは、この反射防止容積領域４８’の最も近くに配置された量子構造３０と反射防止層５２の間に、光学的に不活性な中間領域９４が存在するように設計されており、この中間領域は、レーザ増幅器放射場２０の放射の波長の倍数に実質的に等しい厚さＤZを有しており、この結果、反射防止容積領域４８’の最も近くに配置されている量子構造３０と、この場合、反射器層として機能する反射防止層５２との間には、ソリッドステートボディ１０の側壁９６の方向における有効な増幅率が存在しないようになっている。
【０１５０】
尚、この第３実施例も第１及び第２実施例と同じように設計されているため、詳述していないその他の特徴に関しては、これらの実施例に関する説明をすべて参照することができる。
【０１５１】
第１実施例と関連して説明し、図１及び図２に示されているように、量子構造３０、図２においては、量子構造３０ａ及び３０ｂ、が延在する表面２６、図２においては、表面２６ａ及び２６ｂ、は、積層方向２８において、それらの間に、好ましくは、レーザ増幅器放射場２０の波長の半分又はレーザ増幅器放射場２０の波長の半分の整数倍に相当する距離を有しており、従って、光軸２２の方向に伝播するレーザ増幅器放射場２０は、常に、量子構造３０を通って、最大振幅の場所で確実に増幅される。
【０１５２】
同様に、第１実施例との関連で説明したように、本質的に冷却表面１２の表面全体にわたって熱の放出が行なわれなければならないので、この結果、図７に示されている第４実施例の場合には、光軸２２の方向にソリッドステートボディ１０内で伸びる温度傾斜が発生することになり、これは、レーザ増幅器放射場２０内のすべての領域内で、光軸２２に対して横方向の全ての方向において、本質的に等しく、従って、図７に示されているように、ソリッドステートボディ１０内の温度は、冷却表面１２からの距離の増大と共に上昇することになる。量子構造３０ａ、３０ｂ、及び３０ｃの場合には、この結果、量子構造３０ａの温度Ｔaは、量子構造３０ｂの温度Ｔbより低くなり、この温度Ｔbは、量子構造３０ｃの温度Ｔcよりも低くなる。
【０１５３】
ソリッドステートボディ１０内のこのような温度傾斜の結果、大部分の半導体材料において、温度の上昇に伴って、正孔に対する価電子帯Ｖと電子に対する伝導帯Ｌの間のバンド距離が小さくなる。
【０１５４】
このために、例えば、量子構造３０ｂのバンド距離ＥQｂが、量子構造３０ａのバンド距離ＥQａよりも小さくなる（図８）。
【０１５５】
しかしながら、それぞれの量子構造３０によって光を放出するエネルギーは、バンド距離ＥQに依存するのではなく、バンド距離ＥQとそれぞれ電子に対するゼロ点エネルギー（Nullpunktsenergie）ＥOLと正孔に対するゼロ点エネルギーＥOVの合計に依存する。この結果、例えば、量子構造３０ａ及び３０ｂの個々の量子構造３０内のゼロ点エネルギーをシフトさせることにより、放射光のエネルギーＥLを変えることが可能であり、従って、バンド距離ＥQａがバンド距離ＥQｂよりも大きくて、量子構造３０ａの放射光のエネルギーＥLａを量子構造３０ｂのエネルギーＥLｂにほぼ等しくすることができる。このような伝導帯におけるゼロ点エネルギーＥOL及び価電子帯におけるＥOVの変化は、制限されたディメンジョンの方向（dimensions-begrenzten Richtung）における構成及び／又は延在範囲、例えば、それぞれの二次元の量子構造３０、例えば量子構造３０ａ又は３０ｂ、の厚さを変えることによって実現可能である（図８）。
【０１５６】
この結果、例えば、量子構造３０ａ、３０ｂ、及び３０ｃの個々の量子構造３０における温度Ｔa、Ｔb、及びＴcが異なるにも拘らず、放出されるレーザ放射のエネルギーＥLを、例えば、量子構造３０ａ、３０ｂ、及び３０ｃのすべての量子構造３０において本質的に等しくし、従って、レーザ増幅器放射場２０の最適な増幅を実現することができる。
【０１５７】
この実施例のレーザ増幅システムは、第１実施例と同じ構造のものであるため、その他の部分については、第１実施例に関する説明をすべて参照することができる。
【０１５８】
このように温度Ｔa、Ｔb、Ｔcの違いを考慮することより、レーザ増幅器放射場２０において、図９に示されているような増幅プロファイル（Verstaerkungsprofil）が達成されることになり、これは、周波数ｆ0が対応するエネルギーＥL付近のわずかな帯域幅を有している。
【０１５９】
しかしながら、図１０に示されているように、周波数ｆ0付近でスペクトル的に広がった増幅プロファイルを得る必要がある場合には、図１１に示されている第５実施例においては、量子構造３０が配置されている表面２６を、積層方向２８において、正確にレーザ増幅器放射場２０の波長の半分又はその波長の半分の整数倍の距離に配列するのではなく、むしろその波長の半分からわずかにずらすことにより距離が変るようにしている。例えば、表面２６ｂ内の量子構造３０ｂは、表面２６ａ内に延在する量子構造３０ａから、波長の半分より大きい距離に配置されているのに対して、表面２６ｃ内に延在する量子構造３０ｃは、量子構造３０ａから、波長の半分の整数倍の距離にほぼ位置するように配置されている。
【０１６０】
同じことが、表面２６ｄ内に延在する量子構造３０ｄに対しても適用されているのに対し、表面２６ｅ内に延在する量子構造３０ｅの場合には、量子構造３０ａからの距離は、再び、波長の半分の整数倍よりも多少小さくなっている。
【０１６１】
この結果、レーザ活性容積領域２４において、レーザ増幅器放射場２０を、正確に所定の波長で増幅することができるのみならず、正確な所定の波長からずれた波長についても、それを増幅することができる。
【０１６２】
以上において説明した実施例の場合には、図３に示されているように、均一で相互に連結された表面領域８８をポンピング放射場７０によって光ポンピングするように、それぞれの表面２６内の量子構造３０の励起を行うことを前提としている。
【０１６３】
この代わりに、図１２に示されている第６実施例においては、互いに分離されている部分的な表面領域１００ａ、１００ｂ、１００ｃ、及び１００ｄ内で表面２６を通過する放射場セグメント７０’ａ、７０’ｂ、７０’ｃ、及び７０’ｄを有するポンピング場７０’により、例えば、表面２６ｃ内に延在する量子構造３０ｃなどの量子構造３０を励起するのみならず、追加の量子構造３０のすべてを励起することが可能であり、従って、本質的にソリッドステートボディ１０の断面全体にわたって延在する量子構造３０ｃの励起が、部分的な表面領域１００ａ〜１００ｄ内においてのみ行われるのに対し、互いに分離されているこれらの部分的な表面領域１００ａ〜１００ｄの間に位置している量子構造３０ｃの領域は、光ポンピングされない。
【０１６４】
これにより、光ポンピング領域の延在範囲が全て過大になることを許容することなしに、従って、表面２６に平行な方向において望ましくない光学的増幅を得ることなしに、簡単な方式で、１つの表面内に備えられている量子構造３０の光学的な増幅を最適化する可能性が生ずる。
【０１６５】
従って、このようなポンピング放射場７０’によって励起された量子構造３０は、図１３に示されているように、互いに独立した個々のレーザ増幅器放射場２０’を形成することになる。
【０１６６】
しかしながら、図１３に示されているこれらのレーザ増幅器放射場は、外部結合手段、例えば、部分的に透明なミラーや、レーザ増幅器放射場２０’の１つをマスタ放射場として使用することによって互いに結合することができる。
【０１６７】
外部結合を備える代わりに、例えば、図１４に示されているように、例えばタルボット（Talbot）共振器の形態の増幅器の適切な光学手段６０’により、量子構造３０ｃの光学的に励起された個々の表面領域１００ａ〜１００ｃによって増幅される個々のレーザ増幅器放射場２０’を内部結合によって組み合わせて、コヒーレントな出力放射場１０２を形成する。
【０１６８】
このタイプのタルボット共振器は、例えば、R.Diehl（監修）のHigh-Power Diode Lasers、Topics Appl. Phys. 78、Springer-Verlag、Berlin Heidelberg、２０００年、３０３〜３６７頁、のUwe Brauch、P.Loosen、H.Opowerによる記事「High-Power Diode Lasers for Direct Applications」に、図３７と関連して記述されている。
【０１６９】
放射場セグメント７０’ａ〜７０’ｄを含むこのようなポンピング放射場７０’は、単一のポンピング放射源とその放射の分割によるか、或いは、複数のポンピング放射源によるかのいずれかによって生成可能である。ポンピング放射場７０を形成するための光は、好ましくは、ライトガイドを介して導かれ、それらの出口側の端部は、全体としてポンピング放射場７０’を得るために、放射場セグメント７０’ａ〜７０’ｄの所望の配列に従って互いに位置付けられている。
【０１７０】
その他の部分については、ソリッドステートボディ１０及び量子構造３０は、前述の実施例と同じように設計可能であるため、詳細な説明を省略するが、前述の説明をすべて参照することができる。
【０１７１】
図１５に示されている本発明によるレーザ増幅システムの第７実施例においては、それは、それぞれの表面、図１５においては、例として、表面２６ｃ、内に備えられた１つの相互に連結された量子構造３０ｃではなく、複数の個々の量子構造３０1〜３０N、この場合には、３０ｃ1〜３０ｃN、になっており、これらは、表面２６ｃの互いに分離された個々の部分的な表面領域３１1〜３１Nをすべてカバーしている。
【０１７２】
この図１５に示されている第７実施例においては、それぞれの表面２６内に配列された個々の量子構造３０1〜３０Nは、この場合にも、面状の量子構造、即ち、量子膜であり、従って、それらの内部に存在する電子ガスは、この場合にも、二次元の電子ガスである。
【０１７３】
それぞれの表面２６内のこのような面状の量子構造３０1〜３０Nは、例えば、部分的な表面領域３１1〜３１N内の適切な材料の組成によって実現可能である。
【０１７４】
図１６に示されている第８実施例においても、複数の量子構造３０’1〜３０’Nが、それぞれの表面２６内に、３０’ｃ1〜３０’ｃNで示したように同様に備えられている。しかしながら、この場合には、量子構造３０’1〜３０’Nは、面状の量子構造ではなく、むしろ所謂量子ワイヤであり、その内部には、もはや二次元の電子ガスは存在せず、１次元、即ち、それぞれの量子ワイヤ３０’1〜３０’Nの長手方向においてのみ存在している。
【０１７５】
好ましくは、このタイプの量子ワイヤ３０1〜３０Nも、それぞれの表面２６の部分的な表面領域３１1〜３１N内における適切なドーピングによって実現可能である。
【０１７６】
この点において、量子ワイヤ３０1〜３０Nは、表面２６に対して直角におけるそれらの厚さ程度の幅を、その長手方向に対して横方向に有することが好ましい。
【０１７７】
図１７に示されている第９実施例においては、量子構造３０”1〜３０”N、例えば、図１７に示され、それぞれの表面２６、例えば、表面２６ｃ、内に備えられている量子構造３０”ｃ1〜３０”ｃN、は、量子膜でも量子ワイヤでもなく、その内部に所謂ゼロ次元の電子ガスが存在している所謂量子点であって、これらの量子点は、それぞれの表面２６内において、表面２６に対して横方向にその厚さの程度の大きさの最大延在範囲を有している。
【０１７８】
これらの第７、第８、及び第９実施例の場合における、量子構造３０、ソリッドステートボディ１０、レーザ増幅器放射場２０及びポンピング放射場７０のガイドのその他の特徴については、これまでの実施例における説明をすべて参照されたい。
【０１７９】
図１８に示されている第１０実施例は、図１５による実施例に基づいたものであり、この実施例においては、個々の量子構造３０1〜３０N、この場合には、量子構造３０ｃ1〜３０ｃN、間のスペース１１０は、表面２６に平行な方向におけるいかなる増幅をも回避するために、高吸収材料をバリア１１４として有している。
【０１８０】
この点において、図１９に示されているように、レーザ増幅器放射場２０の波長で放射のかなりの部分を吸収する材料によって、スペース１１０内において、少なくともレーザ活性容積領域２４の延長範囲にわたって積層方向２８の方向に伸びるバリア１１４を形成し、従って、例えば、包囲構造３４の領域内の表面２６に平行な方向における増幅器放射場の形成を防止するようにするのが好ましい。
【０１８１】
尚、この第１０実施例に関しても、その他の特徴についてはこれまでの実施例を参照されたい。
【０１８２】
一般に、それぞれの表面２６に平行な方向における如何なる増幅器放射場の形成をも抑制するために、好ましくは、図２０に示されている第１１実施例において、ソリッドステートボディ１０が、冷却表面１２と出口表面５０間に延在するその側部表面１２０の領域内に、側部表面１２０の領域内においてソリッドステートボディ１０の全体を取り囲んで、表面２６の方向に伝播する放射が反射して戻ることによって再度増幅されることを防止する反射防止層１２２を備える。
【０１８３】
この代わりに、図２１及び図２２に示されている第１２実施例においては、反射防止層１２２の代わりに、側部表面１２０’が、レーザ増幅器放射場２０の波長の光に対する最大の非結合（Auskopplung）の角度に相当する角度で表面２６に対して伸びるようにし、従って、側部表面１２０’の領域内において表面２６に平行に伝播する光は、同じように反射して戻ることなく、ソリッドステートボディ１０から出ることになり、従って、表面２６に平行に伝播する放射の共振増幅を同じく回避することができる。
【０１８４】
これらの第１１及び第１２実施例の更なる特徴についても、これまでの実施例に関する説明を参照されたい。
【０１８５】
図２３に示されている第１３実施例においては、ポンピング放射源７２”は、ポンピング放射場７０’がレーザ増幅器放射場２０の出口表面５０を経由してソリッドステートボディ１０に入るようには配置されておらず、ポンピング放射場７０”がソリッドステートボディの側部表面１２０を経由してソリッドステートボディ１０に入るように、即ち、好ましくは、これが、レーザ活性容積領域２４の領域内において行われるように配置されている。
【０１８６】
この点においては、ポンピング放射が、量子構造３０が延在する面２６に対して異なった鋭角で伸びる伝播１３０1〜１３０Nの方向でソリッドステートボディ１０に入るような広がりを、ポンピング放射場７０”が有することを前提としている。
【０１８７】
このポンピング放射場７０”は、一方においては、ポンピング放射場７０”が、反射防止容積領域４８によって出口表面５０の近傍において全反射されることにより、また他方においては、レーザ活性容積領域２４と反射容積領域３８の間に配置され、境界表面１３２に隣接するレーザ活性容積領域２４の包囲構造３４内の屈折率を下回る屈折率を有している中間層１３４に対する境界表面１３２において反射されることにより、ソリッドステートボディ１０内において表面２６に平行な方向に導かれる。
【０１８８】
そして、この伝播１３０1〜１３０Nの異なる方向に伝播するポンピング放射を有するポンピング放射場７０”が反射防止容積領域４８と中間層１３４の境界表面１３２において反射した結果として、特に、ポンピング放射場７０”が、ポンピング放射源７２”の反対側に位置する側部に配置された反射表面１３６の領域内において反射して再度ポンピング放射源７２”の方向に戻るときに、ポンピング放射場７０”が、マルチモード導波に類似の表面２６に対してそれぞれ異なる角度で複数の伝播１３０1〜１３０Nの方向に伝播するということにより、少なくとも側部表面１２０から十分に離隔した距離において、例えば、表面２６の表面領域１３２内において、量子構造３０の多重ポンピングが生ずることになる。
【０１８９】
その他の部分については、この実施例の量子構造３０は、上述のすべての実施例に従って設計可能である。
【０１９０】
又、この第１３実施例の場合にも、量子構造３０、ソリッドステートボディ１０、及びレーザ増幅器放射場２０の導波の設計に関係する特徴については、これまでの実施例に関する説明をすべて参照されたい。
【図面の簡単な説明】
【０１９１】
【図１】本発明によるレーザ増幅システムの第１実施例の断面の概略図である。
【図２】図１に示されている本発明によるレーザ増幅システムの第１実施例のソリッドステートボディの拡大断面図である。
【図３】ポンピング放射場が通過する表面領域を有する量子構造が延在する図２に示されている表面の１つの拡大透視図である。
【図４】積層方向における距離に対して描かれたソリッドステートボディ内の価電子帯及び伝導帯間におけるエネルギー関係の概略図である。
【図５】本発明によるレーザ増幅システムの第２実施例の図１に類似した概略図を示す図である（ポンピング放射場の図は省略されている）。
【図６】本発明によるレーザ増幅システムの第３実施例におけるレーザ増幅の波長を有し、光軸に対して横方向に伝播する放射の減衰の概略図である。
【図７】本発明によるレーザ増幅システムの第４実施例におけるレーザ動作中の熱力学的平衡状態にあるソリッドステートボディ内の温度分布の概略図である。
【図８】第４実施例における温度の関数としての価電子帯と伝導帯間におけるエネルギー関係の図４に類似した概略図を示す図である。
【図９】レーザ増幅器放射場の伝播方向における量子構造間の理想的な距離を有する第４実施例の増幅プロファイルの概略図である。
【図１０】本発明によるレーザ増幅システムの第５実施例における増幅器プロファイルの図である。
【図１１】レーザモードの関連電界分布の概略図と共に、理想的な配列を逸脱した第５実施例における量子構造の配列の概略図を示す図である。
【図１２】表面内に配置されている本発明によるレーザ増幅システムの第６実施例の量子構造の概略図である。
【図１３】第６実施例の増幅器の光学手段の変形の概略図を示す図である。
【図１４】第６実施例の増幅器の光学手段の第２の変形の概略図を示す図である。
【図１５】表面内に配列された第７実施例の量子構造の概略図を示す図である。
【図１６】表面内に配列された第８実施例の量子構造の概略図を示す図である。
【図１７】表面内に配列された本発明によるレーザ増幅システムの第９実施例の量子構造の概略図を示す図である。
【図１８】表面内に配列された本発明によるレーザ増幅システムの第１０実施例の量子構造の概略図を示す図である。
【図１９】第１０実施例におけるレーザ活性容積領域にわたって積層方向に延長するバリアの概略的な断面図を示す図である。
【図２０】第１１実施例の図１に類似した概略図を示す図である。
【図２１】第１２実施例の図１に類似した概略図を示す図である。
【図２２】図２１における領域Ｘの拡大断面図を示す図である。
【図２３】第１３実施例の図１に類似した概略図を示す図である。
【図１】
2005527981.tif 000003
【図２】
2005527981.tif 000004
【図３】
2005527981.tif 000005
【図４】
2005527981.tif 000006
【図５】
2005527981.tif 000007
【図６】
2005527981.tif 000008
【図７】
2005527981.tif 000009
【図８】
2005527981.tif 000010
【図９】
2005527981.tif 000011
【図１０】
2005527981.tif 000012
【図１１】
2005527981.tif 000013
【図１２】
2005527981.tif 000014
【図１３】
2005527981.tif 000015
【図１４】
2005527981.tif 000016
【図１５】
2005527981.tif 000017
【図１６】
2005527981.tif 000018
【図１７】
2005527981.tif 000019
【図１８】
2005527981.tif 000020
【図１９】
2005527981.tif 000021
【図２０】
2005527981.tif 000022
【図２１】
2005527981.tif 000023
【図２２】
2005527981.tif 000024
【図２３】
2005527981.tif 000025
【国際調査報告】
2005527981.tif 000026
2005527981.tif 000027
2005527981.tif 000028
2005527981.tif 000029
2005527981.tif 000030
2005527981.tif 000031